(57)【特許請求の範囲】
【請求項１】
長手方向軸（Ｉ）を画定する細長いかみそりハンドルハウジング（２）と、少なくとも１つの短毛カッターユニット（４）及び少なくとも１つの長毛トリマーユニット（５）を含む、前記かみそりハンドルハウジング（２）に対して可動のかみそりヘッド（３）と、前記かみそりハンドルハウジング（２）上に配置された追加の長毛トリマーユニット（６）であって、前記長手方向軸（Ｉ）に対して実質的に平行に後退アイドル位置と延長動作位置との間で可動である、追加の長毛トリマーユニット（６）と、少なくとも１つの光源（７）と、を備える、電動かみそりであって、
前記光源（７）は、前記長手方向軸（Ｉ）に対して実質的に平行に後退位置と延長位置との間で可動であり、前記光源（７）は、前記追加の長毛トリマーユニット（６）上に取り付けられるか、又は前記追加の長毛トリマーユニット（６）と一体化されており、前記かみそりヘッド（３）は、前記長手方向軸（Ｉ）に対して角度が付いている、電動かみそり。
【請求項２】
前記光源は、前記かみそりハンドルハウジング（２）から外方を向く側で前記追加の長毛トリマーユニット（６）上に取り付けられ、前記かみそりヘッドは、前記光源が前記追加の長毛トリマーユニット（６）上に取り付けられている前記かみそりハンドルハウジングの第２の側面（１６）の反対側の前記かみそりハンドルハウジング（２）の第１の側面（１５）に向かって角度が付けられていることを特徴とする、請求項１に記載のかみそり。
【請求項３】
前記かみそりハンドルハウジング（２）は、前記ハウジングの第１の側面上に配置されたかみそりオン／オフスイッチ（１４）を備え、前記光源は、前記ハウジングの第１の側面（１５）の反対側にある前記ハウジングの第２の側面（１６）上の前記追加の長毛トリマーユニット（６）上に取り付けられることを特徴とする、請求項１又は２に記載のかみそり。
【請求項４】
前記光源（７）は、平面（Ｐ）に対して実質的に垂直な光軸（ＩＩＩ）を備え、前記平面（Ｐ）は、前記少なくとも１つの短毛カッターユニット（４）の遠位縁部及び前記追加の長毛トリマーユニット（６）の延長動作位置にあるときの遠位縁部によって画定される、請求項２又は３に記載のかみそり。
【請求項５】
前記少なくとも１つの短毛カッターユニット（４）は、上部カッターに対して直線的に振動する下部カッターを備え、前記上部カッターは、毛髪捕捉開口部を備える屈曲剪断ホイルを備え、及び／又は前記長毛トリマーユニット（５、６）は、互いに対して直線的に振動する２つのクリッピング刃を備えることを特徴とする、請求項４に記載のかみそり。
【請求項６】
前記少なくとも１つの光源（７）は、後退位置にあるときに、平面（Ｐ）の照射領域（１０）において２００ルクス〜２，０００ルクスの範囲の照度を有し、前記平面（Ｐ）は、前記少なくとも１つの短毛カッターユニット（４）の遠位縁部及び前記追加の長毛トリマーユニット（６）の延長動作位置にあるときの遠位縁部によって画定されることを特徴とする、請求項１〜５のいずれか一項に記載のかみそり。
【請求項７】
前記少なくとも１つの光源（７）は、限定された開口角度を有する円錐形の光を放射することを特徴とする、請求項１〜６のいずれか一項に記載のかみそり。
【請求項８】
前記少なくとも１つの光源（７）は、好ましくは細長い、楕円形、及び／又は半円形の形状に、照射領域を整形するための光学ユニットを備えることを特徴とする、請求項１〜７のいずれか一項に記載のかみそり。
【請求項９】
前記少なくとも１つの光源（７）は、光スポット（１０）を生成し、前記光スポットは、その中心から境界に向かって１ｍｍごとに２分の１未満照度が減少することを特徴とする、請求項１〜８のいずれか一項に記載のかみそり。
【請求項１０】
前記かみそりは、前記少なくとも１つの光源（７）が接続された制御ユニットを更に備え、前記制御ユニットは、前記少なくとも１つの光源（７）が目視フィードバックをユーザに提供するように設計及び適合されていることを特徴とする、請求項１〜９のいずれか一項に記載のかみそり。
【請求項１１】
電動かみそりであって、長手方向軸（Ｉ）を画定する細長いかみそりハウジング（２）と、少なくとも１つの短毛カッターユニット（４）と、前記かみそりハウジング（２）上に配置され、前記長手方向軸（Ｉ）に対して実質的に平行に後退アイドル位置と延長動作位置との間で可動である、追加の長毛トリマーユニット（６）と、少なくとも１つの光源（７）と、を備え、前記光源（７）は、前記長手方向軸（Ｉ）に対して実質的に平行に後退位置と延長位置との間で可動であり、前記光源（７）は、前記追加の長毛トリマーユニット（６）上に取り付けられるか、又は前記追加の長毛トリマーユニット（６）と一体化されており、前記かみそりヘッド（３）は、前記長手方向軸（Ｉ）に対して角度が付いており、前記かみそりは、前記少なくとも１つの光源（７）が接続された制御ユニットを更に備え、前記制御ユニットは、前記少なくとも１つの光源（７）が目視フィードバックをユーザに提供するように設計及び適合されている電動かみそり。
【請求項１２】
前記制御ユニットは、かみそり構成要素の状態又は位置を検出するための少なくとも１つの検出器を備えている、又はその少なくとも１つの検出器に接続されており、前記制御ユニットは、前記少なくとも１つの光源（７）が前記かみそり構成要素の前記状態又は位置、あるいは前記かみそりの使用に関連する大きさを示す目視フィードバックをユーザに提供するように設計及び適合されていることを特徴とする、請求項１１に記載のかみそり。
【請求項１３】
前記目視フィードバックは、強度、色、及び／又は任意のオンオフ間隔の持続期間などの、前記少なくとも１つの光源（７）によって放射される光の特性の変化を含むことを特徴とする、請求項１１又は１２に記載のかみそり。
【請求項１４】
前記光源は、前記かみそりハンドルハウジング（２）から外方を向く側で前記追加の長毛トリマーユニット（６）上に取り付けられ、前記かみそりヘッドは、前記光源が前記追加の長毛トリマーユニット（６）上に取り付けられている前記かみそりハンドルハウジングの第２の側面（１６）の反対側の前記かみそりハンドルハウジング（２）の第１の側面（１５）に向かって角度が付けられていることを特徴とする、請求項１１〜１３のいずれか一項に記載のかみそり。
【請求項１５】
前記かみそりハンドルハウジング（２）は、前記ハウジングの第１の側面上に配置されたかみそりオン／オフスイッチ（１４）を備え、前記光源は、前記ハウジングの第１の側面（１５）の反対側にある前記ハウジングの第２の側面（１６）上の前記追加の長毛トリマーユニット（６）上に取り付けられることを特徴とする、請求項１１〜１４のいずれか一項に記載のかみそり。
【請求項１６】
前記光源（７）は、平面（Ｐ）に対して実質的に垂直な光軸（ＩＩＩ）を備え、前記平面（Ｐ）は、前記少なくとも１つの短毛カッターユニット（４）の遠位縁部及び前記追加の長毛トリマーユニット（６）の延長動作位置にあるときの遠位縁部によって画定される、請求項１１〜１５のいずれか一項に記載のかみそり。
【請求項１７】
前記少なくとも１つの短毛カッターユニット（４）は、上部カッターに対して直線的に振動する下部カッターを備え、前記上部カッターは、毛髪捕捉開口部を備える屈曲剪断ホイルを備え、及び／又は前記長毛トリマーユニット（５、６）は、互いに対して直線的に振動する２つのクリッピング刃を備えることを特徴とする、請求項１６に記載のかみそり。
【請求項１８】
前記少なくとも１つの光源（７）は、後退位置にあるときに、平面（Ｐ）の照射領域（１０）において２００ルクス〜２，０００ルクスの範囲の照度を有し、前記平面（Ｐ）は、前記少なくとも１つの短毛カッターユニット（４）の遠位縁部及び前記追加の長毛トリマーユニット（６）の延長動作位置にあるときの遠位縁部によって画定されることを特徴とする、請求項１１〜１７のいずれか一項に記載のかみそり。
【請求項１９】
前記少なくとも１つの光源（７）は、限定された開口角度を有する円錐形の光を放射することを特徴とする、請求項１１〜１８のいずれか一項に記載のかみそり。
【請求項２０】
前記少なくとも１つの光源（７）は、好ましくは細長い、楕円形、及び／又は半円形の形状に、照射領域を整形するための光学ユニットを備えることを特徴とする、請求項１１〜１９のいずれか一項に記載のかみそり。
【請求項２１】
前記少なくとも１つの光源（７）は、光スポット（１０）を生成し、前記光スポットは、その中心から境界に向かって１ｍｍごとに２分の１未満照度が減少することを特徴とする、請求項１〜２０のいずれか一項に記載のかみそり。
【請求項２２】
前記光源（７）は、ＬＥＤとして提供されることを特徴とする、請求項１〜２１のいずれか一項に記載のかみそり。
【請求項２３】
前記かみそりハウジング（２）内に主電池が備えられ、前記光源（７）は、前記主電池によって電力供給されることを特徴とする、請求項２２に記載のかみそり。
【請求項２４】
前記光源（７）は、個々の電池を備えることを特徴とする、請求項１〜２３のいずれか一項に記載のかみそり。
【発明の詳細な説明】
【技術分野】
【０００１】
本発明は、電動装置（例えば光源）を有する、かみそり、毛又はあごひげ用はさみ、脱毛デバイスなどの電動除毛デバイスに関する。より詳細には、本発明は、長手方向軸を画定するかみそりハウジングと、少なくとも１つの短毛カッターユニットと、ハウジング上に配置された少なくとも１つの長毛トリマーユニットと、少なくとも１つの光源と、を備える、電動かみそりに関する。
【背景技術】
【０００２】
単一の短毛カッターユニットと、かみそりハウジングの側面上に配置された光源とを備えるかみそりは、ＤＥ２１１７６６３（Ａ１）から既知である。加えて、欧州特許第１６５７４８５（Ｂ１）号は、軸方向に可動のスイッチの構成要素であるＬＥＤを備える脱毛器を開示している。更なる脱毛器は、国際公開第２０１４／２０６８５２（Ａ１）号に開示されている。この脱毛器は、脱毛器上のその位置に関して調節可能な光源を備える。可動光源を備えるヘアトリミングデバイスは、欧州特許第２８６９９７３（Ｂ１）号から既知である。更に、内部照明デバイス及び１つの長毛トリマーユニットを備える２つの短毛カッターユニットを備えるかみそりが、欧州特許第１３２６７３８（Ｂ１）号及び欧州特許第１３２６７３９（Ｂ１）号に開示されている。上述のデバイスにおける光源の使用は、デバイスの特定の動作モードを示すため、例えば、デバイスがオンにされていることを示すため、特定のモータ若しくはシェービングモードの指示のため、又はユーザの皮膚を照明して、毛の除去を促進するためのいずれかについて既知である。
【０００３】
少なくとも１つの短毛カッターユニットと少なくとも１つの長毛トリマーユニットとを備えるかみそりは、異なるモードで、すなわち主に少なくとも１つの短毛カッターユニットを使用して、又は主に少なくとも１つの長毛トリマーユニットを使用して操作されてもよい。これは、個々の動作モードに適合された異なる照明モードを必要とする場合がある。
【先行技術文献】
【特許文献】
【０００４】
【特許文献１】ＤＥ２１１７６６３（Ａ１）
【特許文献２】欧州特許第１６５７４８５（Ｂ１）号
【特許文献３】国際公開第２０１４／２０６８５２（Ａ１）号
【特許文献４】欧州特許第２８６９９７３（Ｂ１）号
【特許文献５】欧州特許第１３２６７３８（Ｂ１）号
【特許文献６】欧州特許第１３２６７３９（Ｂ１）号
【発明の概要】
【発明が解決しようとする課題】
【０００５】
本開示の目的は、除毛デバイスなどの改良されたかみそりを提供することである。
【課題を解決するための手段】
【０００６】
本目的は、請求項１の特徴を有するかみそりによって解決される。有利な更なる特徴は、従属請求項の特徴を用いて記述されている。
【０００７】
本開示の一態様によれば、電動かみそりは、長手方向軸を画定する細長いかみそりハウジングと、少なくとも１つの短毛カッターユニットと、かみそりハウジング上に配置された少なくとも１つの長毛トリマーユニットと、光源などの少なくとも１つの電動装置又は器具と、を備え得る。かみそりは、少なくとも１つの短毛カッターユニット及び少なくとも１つの長毛トリマーユニットを含む、かみそりハンドルハウジングに対して可動のかみそりヘッドと、かみそりハンドルハウジング上に配置された追加の長毛トリマーユニットであって、長手方向軸に対して実質的に平行に後退アイドル位置と延長動作位置との間で可動である、追加の長毛トリマーユニットと、少なくとも１つの光源と、を備え、光源は、長手方向軸に対して実質的に平行に後退位置と延長位置との間で可動であり、光源は、少なくとも１つの長毛トリマーユニット上に取り付けられるか、又は少なくとも１つの長毛トリマーユニットと一体化されており、かみそりヘッドは、長手方向軸に対して角度が付いている。かみそりハウジングの長手方向軸は、典型的には、遠位端、すなわち、かみそりの使用中にユーザの皮膚に面する端部から反対側の近位端に延び、遠位端は、かみそりヘッド及び／又は長毛トリマーユニットを備え得る。少なくとも１つの電動装置（例えば、光源）は、長手方向軸に対して実質的に平行に後退位置と延長位置との間で可動であり得る。光源の代替として、電動装置は、熱源又はヒートシンク又は放射線源であってもよい。ユーザの皮膚に対する電動装置の位置の変化により、装置の強度を変化させることができる。例えば、光パターン及び／又は照射領域は、光源の軸位置に応じて変化してもよい。更に、ユーザの皮膚への熱伝達は、熱源又はヒートシンクとユーザの皮膚との間の距離に応じて変化し得る。かみそりヘッドがかみそりハンドルハウジングに対してクランクしている又は角度が付けられている（この固定の角度が付けられた位置は、ヘッドの可動性によって達成され得るかみそりヘッドの他の方向の角度位置に加えて備えられる）場合、これは、光源が長毛トリマーの後退位置又は延長位置にある場合の両方で、より良い照明を可能にするため（光源が上記のように取り付けられるか、又は一体化されている場合）、特に有利なことが明らかである。
【０００８】
更なる詳細及び本発明の特徴は、図面と併せて、実施形態の以下の説明から得ることができる。
【図面の簡単な説明】
【０００９】
【図１】後退位置に光源を有する本発明の一実施形態によるかみそりの概略側面図を示す。
【図２】延長位置に光源を有する図１によるかみそりの概略側面図を示す。
【図３】ユーザの顔上の照射領域を概略的に示す。
【発明を実施するための形態】
【００１０】
かみそりの少なくとも１つの長毛トリマーユニットは、長手方向軸に対して実質的に平行に後退アイドル位置と延長動作位置との間で可動であり得る。例えば、かみそりは、長毛トリマーユニットがその後退アイドル位置にあるときに、短毛カッターユニットのみを使用して操作されてもよく、一方、かみそりは、長毛トリマーユニットがその延長動作位置にあるときに、長毛トリマーユニットを主に使用して操作されてもよい。長毛トリマーユニットの位置のこの変化は、光源などの電動装置の移動に使用されてもよい。例えば、長毛トリマーユニットは、その軸方向移動中に電動装置を一緒に運ぶことができる。本開示の一例によれば、少なくとも１つの電動装置は、少なくとも１つの長毛トリマーユニットと共に後退位置と延長位置との間で可動であり得る。これは、電動装置が、長毛トリマーユニットの移動が電動装置の移動を引き起こすように長毛トリマーユニットに機械的に結合されている実施形態を含む。このような機械的結合は、長毛トリマーユニットに対して異なる方向及び／又は異なる速度での電動装置の代替の移動を引き起こすギアなどを含んでもよい。
【００１１】
電動かみそりの本開示のより詳細な実施形態では、少なくとも１つの電動装置は、少なくとも１つの長毛トリマーユニット上に取り付けられるか、又は少なくとも１つの長毛トリマーユニットと一体化されている。これにより、電動装置及び長毛トリマーユニットの同一方向への同時移動がもたらされる。例えば、少なくとも１つの電動装置は、かみそりハウジングから外方を向く側で少なくとも１つの長毛トリマーユニット上に取り付けられてもよい。
【００１２】
光源は、かみそりハウジングから外方を向く側で追加の長毛トリマーユニット上に取り付けられ、かみそりヘッドは、光源が追加の長毛トリマーユニット上に取り付けられているかみそりハンドルハウジングの第２の側面の反対側のかみそりハンドルハウジングの第１の側面に向かって角度が付けられている。
【００１３】
かみそりハンドルハウジングは、ハウジングの第１の側面上に配置されたかみそりオン／オフスイッチを備え、光源は、ハウジングの第１の側面の反対側にあるハウジングの第２の側面上の追加の長毛トリマーユニット上に取り付けられる。
【００１４】
光源は、平面に対して実質的に垂直な光軸を備え、当該平面は、少なくとも１つの短毛カッターユニットの遠位縁部及び追加の長毛トリマーユニットの延長動作位置にあるときの遠位縁部によって画定される。
【００１５】
したがって、一体型光源を有する長毛トリマーの後退位置では、かみそりハンドルハウジングの長手方向軸の延長部に対して実質的に平行である光源によって照射されるように、角度付きかみそりヘッドは、（かみそりヘッドが斜めに向いている第１の側面と反対側に）自由空間を作り出す。これにより、照射される領域に対するより直接的な制御が可能になり、例えば眼の不注意な照明を回避する。光源は、光源の光軸が皮膚レベル平面Ｐに対して実質的に垂直であるので、懐中電灯のような棒のように制御することができ、ハンドルに対してクランクしているかみそりヘッドにかかわらず理想的な光スポットが作成される。光源が一体化された追加の長毛トリマーの延長位置において、又は完全な長毛トリマーがかみそりヘッドの裏側の自由空間内に移動すると、皮膚レベル上の光スポット形状に対して後退位置にあるときと同様の利益が達成される。
【００１６】
上記の実施形態に関係なく、又はそれに加えて、電動かみそり、例えば、上述のかみそりは、長手方向軸を画定する細長いかみそりハウジングと、少なくとも１つの短毛カッターユニットと、少なくとも１つの長毛トリマーユニットであって、かみそりハウジング上に配置され、長手方向軸に対して実質的に平行に後退アイドル位置と延長動作位置との間で可動である、追加の長毛トリマーユニットと、少なくとも１つの光源と、を備え、少なくとも１つの光源は、後退位置にあるときに、平面又は表面レベルの照射領域において２００ルクス〜２，０００ルクスの範囲の照度を有し、この平面又は表面レベルは、少なくとも１つの短毛カッターユニットの遠位縁部及び追加の長毛トリマーユニットの延長動作位置にあるときの遠位縁部によって画定される。少なくとも１つの短毛カッターユニットの遠位縁部及び少なくとも１つの長毛トリマーユニットの延長動作位置にあるときの遠位縁部によって画定される平面又は表面レベルＰは、典型的には、かみそりの使用中のユーザの皮膚レベルに対応する。換言すれば、後退位置では、皮膚上の照度は、光スポット又は照射領域の中央領域において、２００ルクス〜２０００ルクスの範囲であってもよい。照射領域は平面Ｐに対応し、すなわち、かみそりヘッド切断ユニットとの皮膚接触レベルは皮膚接触である。
【００１７】
かみそりの少なくとも１つの光源は、限定された開口角度を有する円錐形の光を放射してもよい。例えば、少なくとも１つの光源は、好ましくは細長い、楕円形、及び／又は半円形の形状に照射領域を整形するためのレンズなどの光学ユニットを備えてもよい。
【００１８】
更なる態様によれば、少なくとも１つの光源は、少なくとも１つの光スポットを生成し、そのスポットは、光スポットは、その中心から境界に向かって１ｍｍごとに２分の１未満照度が減少することができる。換言すれば、光スポットの境界は、強いコントラストが回避されるように形作られてもよい。代わりに、照明の強度は、中央からの距離が増加するにつれて緩やかに減少する。減少は、例えば、１ｍｍごとに４分の１未満、好ましくは２分の１未満であり得る。
【００１９】
上記の実施形態に関係なく、又はそれに加えて、電動かみそり、例えば、上述のかみそりは、長手方向軸を画定する細長いかみそりハウジングと、少なくとも１つの短毛カッターユニットと、少なくとも１つの長毛トリマーユニットであって、かみそりハウジング上に配置され、長手方向軸に対して実質的に平行に後退アイドル位置と延長動作位置との間で可動である、追加の長毛トリマーユニットと、少なくとも１つの光源と、を備え、かみそりは、少なくとも１つの光源が接続された制御ユニットを更に備え、制御ユニットは、少なくとも１つの光源が目視フィードバックをユーザに提供するように設計及び適合されている。換言すれば、光はまた、かみそり中にユーザに光学フィードバックを与えるために使用してもよい。このフィードバックは、任意の所望の種類の情報をユーザに送達するために使用することができる。フィードバックは、強度、色、又は任意のオンオフ時間間隔の持続期間など、光の任意の特性を変更することによって行われてもよい。
【００２０】
より詳細には、制御ユニットは、かみそり構成要素の状態又は位置、あるいはかみそりの使用に関連する大きさを検出するための少なくとも１つのセンサ若しくは検出器を備えてもよく、又はそれぞれ少なくとも１つのセンサ若しくは検出器に接続されてもよく、制御ユニットは、少なくとも１つの光源がかみそり構成要素の状態若しくは位置又はかみそりの使用に関連する大きさを示す目視フィードバックをユーザに提供するように設計及び適合されている。そのようなかみそり関連の大きさは、例えば、かみそりで皮膚上に適用される力を含んでもよい。更に、これは、かみそりがオンにされるか又はオフにされるかにかかわらず、単純なフィードバックを含んでもよい。更に、これは、かみそりの動作モードに関するフィードバック、特定のモータ若しくはシェービングモードの指示、及び／又は電池の充電状態に関するフィードバックを含んでもよい。
【００２１】
かみそりの少なくとも１つの短毛カッターユニットには、上部カッターに対して直線的に振動する下部カッターが設けられてもよい。例えば、短毛カッターユニットは、欧州特許第１３２６７３９（Ｂ１）号に記載されているように設計されてもよく、すなわち、上部カッターは、毛髪捕捉開口部を備えた屈曲剪断ホイルを備える。少なくとも１つの長毛トリマーユニットは、欧州特許第１３２６７３９（Ｂ１）号に示唆されるように、２つの短毛カッターユニットの間に挟入されてもよい。本開示の一態様によれば、かみそりの少なくとも１つの長毛トリマーユニットは、互いに対して直線的に振動する２つのクリッピングくしを備える。少なくとも１つの長毛トリマーユニットは、少なくとも１つの短毛カッターユニットから横方向に間隙を介して配されてもよい。特に、長毛トリマーユニットは、少なくとも１つの短毛カッターユニットから独立して可動であり得る。
【００２２】
光源のオン／オフ状態を制御するための異なるシナリオが可能である。光源は、かみそり中に常にオンであってもよい。あるいは、かみそりがオンにされ、ユーザがスイッチをオン又はオフにすることができるとき、「オン」又は「オフ」のデフォルト状態を有することができる。更に、かみそりがオンにされると、光源は、最後のかみそりの終わりのときの状態になり得、ユーザは、それをオン又はオフに切り替えてもよい。
【００２３】
光のオンモードとオフモードとの間でトグルするために、別個のスイッチが長毛トリマーハウジング上に配されてもよい。より快適なオン／オフトグルは、例えば、光の電子コンパートメントに一体化された振動センサを介した自動切り替えによって達成することができる。このセンサは、かみそりモータの振動に反応する。そのため、光は、かみそりに同期してオン及びオフにされる。
【００２４】
所望により、ユーザは、光源によって放射された光の色を、好みに応じて適合させることができる。冷白色を介した温白色から青色までの範囲は、色の範囲の例である。
【００２５】
所望により、かみそりハウジング（かみそりモータも駆動する）内に主電池が備えられ、光源は、当該主電池によって電力供給される。
【００２６】
あるいは、光源は、個々の電池を備え、そのため、かみそりモータを駆動するための主電池とは別個で光源のために別個の電池が提供される。図１及び図２に示される実施形態では、かみそり１は、かみそり１の使用中に、近位端（図中左側）からユーザの皮膚に面する反対側の遠位端まで延びる長手方向軸Ｉを有するかみそりハウジング２を備える。長手方向軸Ｉは、使用中にかみそり１を保持するためのグリップ又はハンドルを形成する細長いかみそりハウジング２の主延長部の配向を示す。図１及び図２は、わずかに屈曲した外側形状でかみそりハウジング２及びかみそりヘッド３に描かれているのに対して、長手方向軸Ｉは直線である。
【００２７】
かみそり１は、かみそりハウジング２に対して可動であり得るかみそりヘッド３を備える。例えば、かみそりヘッド３は、例えば、長手方向軸Ｉに垂直な少なくとも１つの軸を中心に方向ｙ（図２参照）で旋回することができる。図１及び図２に示される実施形態では、かみそりヘッド３には、２つの短毛カッターユニット４と、短毛カッターユニット４の間に挟入された長毛トリマーユニット５とを備えている。各短毛カッターユニット４は、毛髪捕捉開口部を備える、例えば、固定屈曲剪断ホイルの形状の上部カッターと、剪断ホイルに対して直線的に振動する一連の刃の形状の下部カッターと、を備える。長毛トリマーユニット５は、例えば、くし形の２つのクリッピング刃又はクリッピングカッターを備え、これらは互いに対して直線的に振動する。かみそりヘッド３は、（クランク軸ＩＩと長手方向軸Ｉとの間の）角度ａによって、かみそりハウジング２上の長手方向軸Ｉに対してクランク軸ＩＩに沿って角度が付けられて／傾斜して／クランクして配されている。代替として、かみそりヘッド３は、例えば長手方向軸Ｉに対して主に平行に延びる、異なる配向を有してもよい。
【００２８】
追加の長毛トリマーユニット６は、（図１及び図２に見られるような）かみそりハウジング２の上部側面上に、かみそりヘッド３から横方向に間隔を開けて設けられている。追加の長毛トリマーユニット６は、互いに対して直線的に振動する２つのクリッピング刃を備える。図１及び図２の比較は、追加の長毛トリマーユニット６が、長手方向軸Ｉに対して主に平行なかみそりハウジング２に対して軸方向に可動であることを示している。図１は、長毛トリマーユニット６の後退アイドル位置を示すのに対して、図２は、長毛トリマーユニット６の延長動作位置を示す。
【００２９】
方向ｘに沿った長手方向軸Ｉに対する長毛トリマーユニット６の主に平行な移動の代替として、長毛トリマーユニット６は、長手方向軸Ｉに対して実質的に平行な移動を行ってもよく、これは、わずかに湾曲した移動、及び／又は長手方向軸Ｉと長毛トリマーユニット６の移動の主方向との間の角度を含む移動を含んでもよい。追加の長毛トリマーユニット６は、例えば、かみそりハウジング２のそれぞれのトラック（図示せず）に受容された軸方向にシフト可能なガイド部材１１によって、かみそりハウジング２上でガイドされてもよく、後退位置（図１）及び／又は延長位置（図２）において解除可能に固定されてもよい。延長動作位置において短毛カッターユニット４のそれぞれの遠位縁部１２及び追加の長毛トリマーユニット６の遠位縁部１３によって画定された平面Ｐが、図２に示されている。この平面Ｐは、かみそり１の使用中のユーザの皮膚に相当する。
【００３０】
追加の長毛トリマーユニット６の軸方向移動は、長毛トリマーユニット６をオン及びオフに切り替えるために使用されてもよい。例えば、長毛トリマーユニット６は、かみそりの駆動モータ（図示せず）から後退状態で分離されてもよく、延長状態でこのような駆動モータに連結されてもよい。代替として、長毛トリマーユニット６は、かみそり１がオン／オフスイッチ１４を介してオンに切り替えられたときに恒久的に動作してもよい。典型的には、かみそりヘッド３は、追加の長毛トリマーユニット６が後退位置にあるときに主に使用されるのに対し、追加の長毛トリマーユニット６は、追加の長毛トリマーユニット６が延長位置にあるときに主に使用される。かみそりモータをオン又はオフに切り替えるためのオン／オフスイッチ１４は、かみそりハンドルハウジング２の第１の側面１５上に設けられる。かみそりヘッドがかみそりハンドルハウジングに対して角度が付けられているのと同一の側である。追加の長毛トリマー６は、第１の側面と反対側の、かみそりハンドルハウジングの反対側の第２の側面上に設けられる。
【００３１】
光源７は、追加の長毛トリマーユニット６上に設けられている。図１及び図２に示される実施形態では、光源７は、追加の長毛トリマーユニット６と一体化される。代替として、光源７は、例えば、追加の長毛トリマーユニット６上に解除可能に取り付けられてもよい。したがって、光源７は、上述のように軸方向に動く場合、追加の長毛トリマーユニット６によって一緒に運ばれる。更なる代替として、光源７は、好ましくは長手方向軸Ｉに対して実質的に平行に後退位置と延長位置との間で、追加の長毛トリマーユニット６から独立して動いてもよい。
【００３２】
光源７は、少なくとも１つのＬＥＤを含んでもよい。加えて、光源７は、所定の光分布パターンを生成するため及び／又は光をガイドするための、レンズ、光ダクトなどのような少なくとも１つの光学ユニットを備えてもよい。換言すれば、ＬＥＤは、ＬＥＤと光源７との間に光ダクトを挟入して、図１及び図２に光源７として示される位置から離れて配置されてもよい。したがって、光源７は、ＬＥＤなどであり得るか、又は光がかみそり１から放射される例示的な位置を示してもよい。
【００３３】
図１及び図２の実施形態に示すように、光源７は、限定された開口角度を有する円錐形の光を放射する。光円錐は、（図１及び図２に見られるように）異なって横方向及び垂直方向に延びるような形で整形される。光円錐の垂直延長部８は、例えば、以下のような寸法である。図３は、あごひげが支配的に成長する線９を示す。この線は、典型的には、眼に対して数ｃｍの距離を有する。光円錐は、光源７によって照射される面上の領域１０が、ユーザがこの線９までシェーブするときに眼の下に留まるような形で整形される。結果として、ユーザは、眼がくらまない。これは、例えば、異なる方向に異なるように焦点を合わせる光学素子によって達成され得る。このような特性を有する単純な光学系の例は、光源７内のレンズを使用することによって実現されるか、又は例えば、基本的に半円形断面を有する輪郭のような形状である光源に追加することによって実現される。所望により、光源の光軸は、平面Ｐに垂直である。したがって、光源のスポットを十分に制御することができる。
【００３４】
上述のように、光がかみそり１の光源７を離れる点は、かみそり本体に対して長手方向軸Ｉに対して平行であり得る方向ｘに沿ってシフトされ得る要素上に取り付けられて、皮膚への距離を変化させる。図１及び図２に示される実施形態では、かみそりの既存の可動要素又はシフト可能要素、すなわち、かみそりの追加の長毛トリマーユニット６が本明細書で使用される。しかしながら、本発明は、追加の長毛トリマーユニット６上又はその中に設けられた光源７を有する実施形態に限定されない。むしろ、光源７は、長手方向軸Ｉに対して実質的に平行に動く任意の他の好適な要素上に提供されてもよい。
【００３５】
光源７をシフト可能要素上に取り付けることにより、別の設定の可能性がもたらされる。図１に示される状況は、使用されていない長毛トリマーユニット６に対応するが、追加の長毛トリマーユニット６が使用されるとき、光は、新しい特性を得る。追加の長毛トリマーユニット６が方向ｘに沿って皮膚に向かってシフトすると、光円錐は著しく短くなり、狭い皮膚領域のみを照射する。この領域は、追加の長毛トリマーユニット６が皮膚に触れる場所に非常に近い。光源７と皮膚との距離が小さいことにより、照明が集中し、明るく、正確になる。それは、以前に光源７の後退位置で与えられた照度値よりも１０〜３０倍強く上回る。これは、正確な形状を切断するなどの精密な作業のために良好に適合された照明である。したがって、追加の長毛トリマーユニット６の目的に十分に適合されている。これは、あごひげスタイルの特別な利点である。
【００３６】
加えて、ユーザの皮膚上での光特性の変化は、追加の長毛トリマーユニット６を後退アイドル位置から延長動作位置へ軸方向に動かすことによって、かみそり１の動作モードの変化に対応する。したがって、追加の長毛トリマーユニット６内又はその上に光源７を位置付けることにより、光源７によって照射される領域の光特性又はパターンを、かみそり１の動作モードの変化に自動的に適応させる。
【００３７】
図１及び図２に示される実施形態では、光源７によって照射される領域の光特性又はパターンは、主に光源７からユーザの皮膚までの距離によって影響される。しかしながら、加えて又は代替として、光源７によって照射される領域の光特性又はパターンは、追加の長毛トリマーユニット６の移動に応じて更に変化させることができる。例えば、追加の長毛トリマーユニット６の移動は、光源７の発光の強度及び／若しくは色の変化を引き起こし得、並びに／又は例えば、レンズ、シャッター、プリズム、若しくは開口のような１つ以上の光学ユニットの調節によって、光源７によって照射される領域のパターン若しくは形状の変化を引き起こし得る。
【００３８】
光源は、電池のような個々のエネルギー源（図示せず）を備えてもよい。代替として、誘導技術を介した電力伝達は、外部エネルギー源及び／又はかみそりハウジング２内に受容された主電池から光源７にエネルギーを供給するために提供されてもよい。
【００３９】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００４０】
参照番号
１かみそり
２かみそりハンドルハウジング
３かみそりヘッド
４短毛カッターユニット
５長毛トリマーユニット
６追加の長毛トリマーユニット
７光源
８光円錐の垂直延長部
９線
１０光源７によって照射される領域
１１ガイド部材
１２短毛カッターユニットの遠位端／縁部
１３追加の長毛トリマーユニットの遠位端／縁部
１４かみそりオン／オフスイッチ
１５ハウジングの第１の側面
１６ハウジングの第２の側面
Ｉ長手方向軸
ＩＩかみそりヘッドクランク軸
ＩＩＩ光源の光軸
ｘ追加の長毛トリマーユニットの移動方向
ａ長手方向軸ｌとかみそりヘッドクランク軸ｋとの間のクランク角度
ｙかみそりヘッドの移動／旋回方向
Ｐ照明平面／ユーザの皮膚
【図１】
0006849809.tif 000002
【図２】
0006849809.tif 000003
【図３】
0006849809.tif 000004